(57)【要約】【課題】発生した浮遊状態のインクミストを記録装置本体内部側に拡散して流れ込ませないように遮蔽できるインクミストの飛散防止装置を提供する。【解決手段】記録ヘッド１３のノズル開口から吐出されたインクのうち記録の実行に使用されることなく記録装置本体３内においてミスト状になって浮遊するインクミストＡの周辺への飛散、付着を防止する装置であり、キャリッジ１０の移動方向の端部に設けられるフラッシング領域３１、３２内、あるいはフラッシング領域３１、３２から記録実行領域３３に移行する境界付近に設けられる飛散防止壁３４によって構成されており、飛散防止壁３４とキャリッジ１０との間に形成されている隙間３５は部品公差等を考慮して可能な限り最小な値に設定されている。【選択図】図３
2007038469.tif 000002
【特許請求の範囲】
【請求項１】
記録ヘッドのノズル開口から吐出されたインクのうち記録の実行に使用されることなく記録装置本体内においてミスト状になって浮遊するインクミストの周辺への飛散、付着を防止するインクミストの飛散防止装置であって、
前記インクミストの飛散防止装置は、キャリッジの移動方向の端部に設けられるフラッシング領域内に、あるいはフラッシング領域から記録実行領域に移行する境界付近に設けられる飛散防止壁によって構成されており、該飛散防止壁とキャリッジとの間に形成される隙間は部品公差等を考慮して可能な最小値に設定されていることを特徴とするインクミストの飛散防止装置。
【請求項２】
請求項１において、前記飛散防止壁とキャリッジとの間に形成される隙間は２〜３ｍｍ以下に設定されていることを特徴とするインクミストの飛散防止装置。
【請求項３】
請求項１または２において、前記飛散防止壁はキャリッジの移動方向に対してほぼ直交する向きに壁面が位置するように設けられるリブ形状の部材によって構成されていることを特徴とするインクミストの飛散防止装置。
【請求項４】
請求項１〜３のいずれか１項において、前記飛散防止壁は記録装置本体の既存の構成を利用することにより、あるいは記録装置本体に対して別途新たな構成を付加することによって構成されていることを特徴とするインクミストの飛散防止装置。
【請求項５】
下面にノズル開口を備え、ノズル開口から吐出されるインクによって記録を実行する記録ヘッドと、該記録ヘッドを主走査方向に往復移動させるキャリッジと、該記録ヘッド及びキャリッジを内部に備える記録装置本体と、該記録装置本体内において記録の実行に使用されることなくミスト状になって浮遊するインクミストの周辺への飛散、付着を防止するインクミストの飛散防止装置とを備える記録装置であって、
前記インクミストの飛散防止装置は、請求項１〜４のいずれか１項に記載したインクミストの飛散防止装置であることを特徴とする記録装置。
【請求項６】
下面にノズル開口を備え、ノズル開口から噴射される液体によって所望の作業を実行する液体噴射ヘッドと、該液体噴射ヘッドを主走査方向に往復移動させるキャリッジと、該液体噴射ヘッド及びキャリッジを内部に備える液体噴射装置本体と、該液体噴射装置本体内において作業の実行に使用されることなくミスト状になって浮遊する液体ミストの周辺への飛散、付着を防止する液体ミストの飛散防止装置とを備える液体噴射装置であって、
前記液体ミストの飛散防止装置は、キャリッジの移動方向の端部に設けられるフラッシング領域内に、あるいはフラッシング領域から作業実行領域に移行する境界付近に設けられる飛散防止壁によって構成されており、該飛散防止壁とキャリッジとの間に形成される隙間は部品公差等を考慮して可能な最小値に設定されていることを特徴とする液体噴射装置。
【発明の詳細な説明】
【技術分野】
【０００１】
本発明は、記録ヘッドのノズル開口から吐出されたインクのうち記録の実行に使用されることなく記録装置本体内においてミスト状になって浮遊するインクミストの周辺への飛散、付着を防止するインクミストの飛散防止装置及び該インクミストの飛散防止装置を備えた記録装置に関する。  
更に本発明は、インク等の液体をそのヘッドから吐出（噴射）して被記録材（被液体噴射材）に記録を実行する（液体を付着する）インクジェット式記録装置などの液体噴射装置及び該液体噴射装置において設けられる液体ミストの飛散防止装置に関するものである。
【０００２】
ここで液体噴射装置とは、インクジェット式記録ヘッドが用いられ、該記録ヘッドからインクを吐出して被記録材に記録を実行するプリンタ、プロッタ、複写機及びファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
以下、記録装置の一例としてインクジェットプリンタを例に採って本発明が発案される背景となる従来技術と該従来技術の問題点について説明する。インクジェットプリンタでは、記録ヘッドのノズル開口におけるインクの目詰まりやインク流路内に混入した気泡を取り除くためにクリーニング操作と呼ばれるインクの強制的な吸引排出処理を行い、ワイピング部材によってノズル開口面に付着したインクや異物を払い、拭き落としている。
【０００４】
また、インクジェットプリンタには定期的（例えば数秒毎に数十ショット／１ノズル程度）に記録の実行とは関係なく記録ヘッドのノズル開口から少量のインク滴を吐出させるフラッシング操作が実行されている。このフラッシング操作は、上記クリーニング操作時においてワイピング部材による払拭操作でノズル開口面に生じた不揃いのメニスカスを回復させたり、インク滴の吐出の少ないノズル開口等において生ずるインクの増粘化に伴う目詰まりを防止する目的で実行される操作である。
【０００５】
そして、フラッシング操作は、クリーニング操作後のタイミングでは混色防止のために実行され、印刷開始時のタイミングと印刷中には定期的に各ノズル開口から数千〜数万ショットのインクの吐出が実行されることもある。また、フラッシング操作は、キャッピング手段が備えられているホームポジション側のフラッシング領域と、これと反対側のキャリッジの移動端側のフラッシング領域において実行される構成が通常である。そして、このうちキャリッジの移動端側のフラッシング領域は、キャッピング手段内のインクのオーバーフロー防止のためと、キャリッジの移動ロスを少なくしてスループットを向上させる等のために使用されている。
【０００６】
下記の特許文献１と特許文献２には、このようなクリーニング操作とフラッシング操作が実行可能なインクジェットプリンタが開示されている。そして、これらのインクジェットプリンタには、記録の実行に使用されることなくプリンタ本体内においてミスト状になって浮遊するインクミストの周辺への飛散、付着を防止するインクミストの飛散防止装置が設けられている。特許文献１では、ホームポジションと反対側のキャリッジの移動方向端部のフラッシング領域にインク回収ユニットを設けたインクミストの飛散防止装置が開示されている。
【０００７】
また、特許文献２には、用紙の印刷面を覆うカバー部材をキャリッジに対して設けるようにしたインクミストの飛散防止装置が開示されている。しかし、これらいずれのインクミストの飛散防止装置によっても、発生したインクミストの上方への移動を完全に抑えることはできず、上方へ移動したインクミストは、図６に示すように、キャリッジ１１０の移動に伴ってプリンタ本体１０３の上部ケーシング１３０とキャリッジ１１０との間に形成されている広い開口空間部１３５を通ってプリンタ本体１０３の更に内部に流れ込み、周辺の部材に付着したり、用紙の印刷面に付着して印刷品質を悪くしていた。
【０００８】
【特許文献１】特開２００１−８００９２号公報
【特許文献２】特開２０００−２６３７６７号公報
【発明の開示】
【発明が解決しようとする課題】
【０００９】
そこで本発明は、このような背景技術及び背景技術が抱えていた問題点の存在を踏まえてなされたものであって、フラッシング操作等によって発生し上方に移動した浮遊状態のインクミストを記録装置本体内部側に流れ込ませないように遮蔽して効率的にインクミストを回収し得るインクミストの飛散防止装置及び該インクミストの飛散防止装置を備えた記録装置等を提供することを課題とするものである。
【課題を解決するための手段】
【００１０】
上記課題を解決するために本発明の第１の態様に係るインクミストの飛散防止装置は、記録ヘッドのノズル開口から吐出されたインクのうち記録の実行に使用されることなく記録装置本体内においてミスト状になって浮遊するインクミストの周辺への飛散、付着を防止するインクミストの飛散防止装置であって、前記インクミストの飛散防止装置は、キャリッジの移動方向の端部に設けられるフラッシング領域内に、あるいはフラッシング領域から記録実行領域に移行する境界付近に設けられる飛散防止壁によって構成されており、該飛散防止壁とキャリッジとの間に形成される隙間は部品公差等を考慮して可能な最小値に設定されていることを特徴とするものである。
【００１１】
また本発明の第２の態様に係るインクミストの飛散防止装置は、本発明の第１の態様において、前記飛散防止壁とキャリッジとの間に形成される隙間は２〜３ｍｍ以下、好ましくは１．５ｍｍ以下に設定されていることを特徴とするものである。
【００１２】
これら本発明の第１の態様または第２の態様によれば、フラッシング操作等によって発生し上方に移動した浮遊状態のインクミストは、当該飛散防止壁によってフラッシング領域部分の一カ所に留められ、記録装置本体の内部全体への拡散が防止されているから、記録装置本体内部に存している周辺の部材や被記録材へのインクミストの飛散、付着が防止できる。  
特に、飛散防止壁とキャリッジとの間に形成される隙間を２〜３ｍｍ以下、好ましくは１．５ｍｍ以下に設定した場合にはインクミストの遮蔽効果が高まり、一層周辺の部材や被記録材へのインクミストの飛散、付着が防止できる。
【００１３】
本発明の第３の態様に係るインクミストの飛散防止装置は、本発明の第１の態様または第２の態様において、前記飛散防止壁はキャリッジの移動方向に対してほぼ直交する向きに壁面が位置するように設けられるリブ形状の部材によって構成されていることを特徴とするものである。
【００１４】
本発明の第３の態様によれば、インクミストの記録装置本体内部に向かう流れを確実に最も効果的に防止でき、加えて飛散防止壁をリブ形状の部材によって構成することによって飛散防止壁の構造を簡単にし、記録装置本体における上部ケーシングの機械的強度を向上させることが可能となる。
【００１５】
本発明の第４の態様に係るインクミストの飛散防止装置は、本発明の第１〜第３のいずれか１つの態様において、前記飛散防止壁は記録装置本体の既存の構成を利用することにより、あるいは記録装置本体に対して別途新たな構成を付加することによって構成されていることを特徴とするものである。
【００１６】
本発明の第４の態様によれば、飛散防止壁を記録装置本体の既存の構成を利用することによって構成した場合には部品の有効利用が図れ、インクミストの飛散防止装置の加工、組立コストの大幅な削減を図ることが可能となる。また新たな構成として飛散防止壁を記録装置本体に対して設けた場合には、最適な位置に所望の形状、大きさの飛散防止壁を設けることが可能となり、飛散防止壁によるインクミストの飛散防止効果を高めることが可能となる。
【００１７】
本発明の第５の態様に係る記録装置は、下面にノズル開口を備え、ノズル開口から吐出されるインクによって記録を実行する記録ヘッドと、該記録ヘッドを主走査方向に往復移動させるキャリッジと、該記録ヘッド及びキャリッジを内部に備える記録装置本体と、該記録装置本体内において記録の実行に使用されることなくミスト状になって浮遊するインクミストの周辺への飛散、付着を防止するインクミストの飛散防止装置とを備える記録装置であって、前記インクミストの飛散防止装置は本発明の第１〜第４のいずれか１つの態様のインクミストの飛散防止装置であることを特徴とするものである。
【００１８】
本発明の第５の態様によれば、フラッシング操作等によって発生し上方に移動した浮遊状態のインクミストを当該飛散防止壁によってフラッシング領域部分の一カ所に留め、記録装置本体の内部全体への拡散を防止して、記録装置本体内部に存している周辺の部材や被記録材へのインクミストの飛散、付着を防止できるインクミストの飛散防止装置を備えた記録装置を提供することが可能となる。また、インクミストの飛散、付着を防止することによって周辺部材のインクミストによる汚損や被記録材のインク汚れを防止して高品質の記録の実行が図られる。
【００１９】
本発明の第６の態様に係る液体噴射装置は、下面にノズル開口を備え、ノズル開口から噴射される液体によって所望の作業を実行する液体噴射ヘッドと、該液体噴射ヘッドを主走査方向に往復移動させるキャリッジと、該液体噴射ヘッド及びキャリッジを内部に備える液体噴射装置本体と、該液体噴射装置本体内において作業の実行に使用されることなくミスト状になって浮遊する液体ミストの周辺への飛散、付着を防止する液体ミストの飛散防止装置とを備える液体噴射装置であって、前記液体ミストの飛散防止装置は、キャリッジの移動方向の端部に設けられるフラッシング領域内に、あるいはフラッシング領域から作業実行領域に移行する境界付近に設けられる飛散防止壁によって構成されており、該飛散防止壁とキャリッジとの間に形成される隙間は部品公差等を考慮して可能な最小値に設定されていることを特徴とするものである。
【発明を実施するための最良の形態】
【００２０】
以下、本願発明に係るインクミストの飛散防止装置及び該インクミストの飛散防止装置を備えた液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２１】
図１はインクジェットプリンタの外観を示す斜視図、図２はインクジェットプリンタの内部構造を示す側断面図である。  
ここで説明するインクジェットプリンタ１００は、図１に示すように液体噴射装置本体の一例である記録装置本体としてのプリンタ本体３の上面前方寄りに上面カバー４、前面上部右隅部に操作ボタン６、前面上部にディスクトレイカバー７、前面下部に排出用スタッカ５０、上面後方寄りに自動給送装置２を備えたインクジェットプリンタである。
【００２２】
尚、インクジェットプリンタ１００としては、この他、スキャナ装置を搭載した複写機としての機能を備えるものや、デジタルカメラで撮影した写真が記録されたメモリーカード等の挿入部を有し、パーソナルコンピュータを起動しないで直接印刷を実行できる機能を備えるものも勿論含まれる。また、操作ボタン６の位置は上記位置に限定されず、前面、上面の適宜の個所に設置可能であり、ディスクトレイに対応していないインクジェットプリンタに対しても本発明は適用可能である。
【００２３】
上面カバー４は、奥部側に設けられる図示しないヒンジ部を回動中心として手前側を上方へ拡開できる開閉式のカバーである。そして、上面カバー４を拡開することによって、プリンタ本体３の内部へのアクセスが可能となり、インクカートリッジの交換等のメンテナンス作業ができるようになっている。また、ディスクトレイカバー７は、図示しないディスクトレイの挿入口を覆っているカバーである。ディスクトレイカバー７は、上部側に設けられる図示しないヒンジ部を回動中心として、下部側を前方に向けて拡開できるようになっている。
【００２４】
そして、ディスクトレイを使用する場合には、ディスクトレイカバー７を拡開し、ＣＤ−Ｒ、ＣＤ−ＲＷ、ＤＶＤ等の光ディスクをラベル面を上にしてディスクトレイにセットし、ディスクトレイの挿入口に挿入する。尚、ディスクトレイを所定の挿入位置まで手挿し挿入すると、ディスクトレイは自動的に搬送経路内に導かれるようになっている。排出用スタッカ５０は、下部側に設けられる図示しないヒンジ部を回動中心として上部側を手前に拡開できるようになっている。尚、排出用スタッカ５０は、記録実行時において拡開され、拡開された排出用スタッカ５０の上面が、記録が実行された用紙Ｐが積畳される載置面５１になっている。
【００２５】
また、自動給送装置２は、被液体噴射材の一例である複数枚の被記録材Ｐ（以下単に用紙Ｐともいう）を積畳し得る給送用トレイ５と、給送用トレイ５上の用紙Ｐを給送用ローラ１４に向けて押上げるホッパ１６と、ホッパ１６との挟圧送り作用によって給送用トレイ５上の上位の用紙Ｐをピックアップする給送用ローラ１４と、最上位の用紙Ｐのみが給送されるように重送された後続の用紙Ｐを最上位の用紙Ｐから分離する分離作用部の一例である図示しない分離パッドと、分離された後続の用紙Ｐを給送用トレイ５上に戻す図示しない戻し機構とを備えている。
【００２６】
尚、図１においてプリンタ本体３の上面後方寄りの部位に見えているのは、給送用トレイカバー９であり、奥部側に設けられる図示しないヒンジ部を回動中心として、手前側を上方に、そして斜め後方に向けて拡開することによって内部の給送用トレイ５が使用できるようになっている。また、プリンタ本体３の内部には用紙Ｐを自動給送し、記録ポジション２６、そして排出用スタッカ５０に向けて搬送する単票紙用の自動搬送経路が設けられている。
【００２７】
次に、用紙Ｐの自動搬送経路に従ってインクジェットプリンタ１００の内部構造の概略を説明する。先ず最も搬送方向上流側に用紙Ｐを積畳する被液体噴射材積畳部の一例である給送用トレイ５が設けられている。また、給送用トレイ５には用紙Ｐの一方の側縁（エッジ）に当接し、給送用トレイ５に対して固定状態で設けられる固定エッジガイド１５Ａと、用紙Ｐの他方の側縁（エッジ）に当接し、給送用トレイ５に対して用紙Ｐの幅方向（主走査方向Ｘとなる）に移動可能な状態で設けられる可動エッジガイド１５Ｂとが設けられている。
【００２８】
これら固定エッジガイド１５Ａと可動エッジガイド１５Ｂは、用紙Ｐの幅方向の位置合わせを行うと共に用紙Ｐの搬送方向（副走査方向Ｙとなる）への円滑な搬送を案内する役割を有している。そして、給送用トレイ５上の用紙Ｐは、給送用ローラ１４の回転軸１７の回転に伴って、ホッパ１６が所定のタイミングで上昇し、給送用ローラ１４に向けて押し上げられる。そして、給送用ローラ１４の回転に伴って最上面に位置する用紙Ｐから順番に給送用ローラ１４近傍に設けられる分離作用部の一例である図示しない分離パッド等の力を借りて単位数ずつピックアップして搬送方向下流に向って送られる。
【００２９】
給送用ローラ１４の下流には、用紙Ｐの通過を検出する被液体噴射材検出手段の一例である図示しない被記録材検出手段（以下単に検出レバーという）が設けられており、検出レバーの下流には搬送用駆動ローラ１９ａと搬送用従動ローラ１９ｂとによって構成される搬送用ローラ１９が設けられている。このうち搬送用従動ローラ１９ｂは、搬送用従動ローラ用のローラホルダ１８の下流側において軸支され、当該ローラホルダ１８は、図示しない回転軸を中心に回動可能に設けられ、且つ図示しないねじりコイルばねによって搬送用従動ローラ１９ｂが常に搬送用駆動ローラ１９ａに圧接したニップ状態になるように回動付勢されている。
【００３０】
また、ローラホルダ１８の搬送方向下流には補助押えローラ１８ｃが設けられており、補助押えローラ１８ｃは図示しない補助押えローラ用のローラホルダに対して従動回転可能に軸支されている。尚、補助押えローラ１８ｃは、用紙Ｐ終端の浮き上がりに起因するヘッド擦れを防止する等の目的で設けられている。そして、搬送用ローラ１９によって挟圧された状態で搬送される用紙Ｐは、補助押えローラ１８ｃの下方を通って記録ポジション２６に導かれる。
【００３１】
記録ポジション２６には、用紙Ｐに記録を実行する液体噴射実行手段の一例である記録実行手段の主たる構成要素として、主走査方向Ｘに往復可能に走行し得るキャリッジガイド軸１２によって軸支されたキャリッジ１０が設けられている。そして、該キャリッジ１０の下面には、用紙Ｐに液体の一例であるインクを吐出（噴射）して記録を実行する液体噴射ヘッドの一例である記録ヘッド１３が搭載されている。また、キャリッジ１０には液体カートリッジの一例である図示しないインクカートリッジが装着されている。
【００３２】
記録ヘッド１３の下方には、記録ヘッド１３と対向して記録ヘッド１３のヘッド面と用紙Ｐとの間のプラテンギャップＰＧを規定するプラテン２８が設けられている。そして、キャリッジ１０とプラテン２８との間に用紙Ｐを主走査方向Ｘと直交する副走査方向Ｙに所定の搬送量で搬送する動作と、記録ヘッド１３を主走査方向Ｘに一往復させる間に記録ヘッド１３から用紙Ｐにインクを噴射する動作とを交互に繰り返すことによって、用紙Ｐの記録面の全面に亘って所望の記録が実行される。尚、上記プラテンギャップＰＧは、高精度の記録を実行する上で極めて重要な要素となっており、用紙Ｐの厚さの変化やディスクトレイ等の使用に応じて適宜調節されるようになっている。
【００３３】
記録ヘッド１３の下流には、排出用駆動ローラ２０ａと、排出用従動ローラ２０ｂとによって構成される被液体噴射材排出手段の一例である排出用ローラ２０が設けられている。また、排出用ローラ２０の搬送方向下流には用紙Ｐの排出を補助する排出用補助ローラ２２が設けられている。この排出用補助ローラ２２も被液体噴射材排出手段に属し、排出用補助駆動ローラ２２ａと、排出用補助従動ローラ２２ｂとによって構成されている。そして、排出用補助ローラ２２によって排出された用紙Ｐは、更に搬送方向下流に位置する被液体噴射材受け部の一例である排出用スタッカ５０上の載置面５１に排出されるようになっている。
【００３４】
排出用従動ローラ２０ｂと排出用補助従動ローラ２２ｂは、その外周に複数の歯を有する歯付きローラであり、それぞれを保持するローラホルダによって自由回転可能に軸支されている。また、上記搬送用従動ローラ１９ｂは、搬送用駆動ローラ１９ａよりその軸芯位置が幾分搬送方向下流側に位置するように配設されている。このような配設態様をとることによって、用紙Ｐは搬送用ローラ１９と排出用ローラ２０との間において僅かに下に凸となる俗に「逆ぞり」と呼ばれている湾曲状態が形成される。これにより記録ヘッド１３に対向する位置にある用紙Ｐは、プラテン２８に押し付けられ、用紙Ｐの浮き上がりが防止されて正常に記録が実行されるようになっている。
【００３５】
［実施例］
次に、このようなインクジェットプリンタ１００に対して設けられる本願発明に係るインクミストの飛散防止装置１について説明する。  
図３は本発明のインクミストの飛散防止装置を適用した上部ケーシンクの一部とキャリッジを拡大して示す側断面図である。また図４は本発明のインクミストの飛散防止装置をホームポジション側のフラッシング領域内に設置した状態を示す一部破断正面図、図５は本発明のインクミストの飛散防止装置をホームポジションとは反対側のキャリッジの移動端側のフラッシング領域と記録実行領域の境界付近に設置した状態を示す一部破断正面図である。
【００３６】
本発明のインクミストの飛散防止装置１は、記録ヘッド１３の図示しないノズル開口から吐出されたインクのうち記録の実行に使用されることなくプリンタ本体３内においてミスト状になって浮遊するインクミストＡの周辺への飛散、付着を防止するために設けられている。そして、本実施例ではプリンタ本体３の上部ケーシング３０に対してインクミストの飛散防止装置１が設けられている。
【００３７】
インクミストの飛散防止装置１は、キャリッジ１０の移動方向（主走査方向Ｘでもある）の両端部、即ち、ホームポジション側のフラッシング領域３１内に１つと、これと反対側のキャリッジ１０の移動端側のフラッシング領域３２から作業実行領域としての記録実行領域３３に移行する境界付近に１つの計２つ設けられている。また、インクミストの飛散防止装置１は、飛散防止壁３４によって構成されており、該飛散防止壁３４とキャリッジ１０の上面との間には、キャリッジ１０の自由な往復移動を可能にすると共に部品公差や組立てのバラ付き等を考慮して可能な限り最小な値に設定されている隙間３５が形成されている。
【００３８】
尚、上記隙間３５は２〜３ｍｍ以下、好ましくは１．５ｍｍ以下に設定する。因みにこのような寸法範囲に隙間３５を設定すると、インクミストＡのプリンタ本体３内部への流入が防止され、効果的な遮蔽作用が発揮される。また、飛散防止壁３４は、キャリッジ１０の移動方向に対してほぼ直交する向きに壁面が位置するように設けられているリブ形状の部材によって構成されている。また、本実施例では上部ケーシング３０に対して飛散防止壁３４を設ける構成を採用しているから、飛散防止壁３４は上部ケーシング３０の機械的強度を向上させる補強リブとしても機能している。
【００３９】
次に、図４、図５に基づいて本発明のインクミストの飛散防止装置１のインクミストＡに対する作用状態を（１）ホームポジション側と、これと反対側の（２）移動端側に分けて説明する。
【００４０】
（１）ホームポジション側（図４参照）
ホームポジション側のフラッシング領域３１でフラッシング操作が実行されると、記録ヘッド１３の図示しないノズル開口から吐出されたインクは、一定の間隙を隔ててその下方に設けられるキャッピング手段３６内に打ち捨てられて回収される。この時、ノズル開口から吐出されたインクの一部はインクミストＡとなって図中矢印で示すように外側方、そして上方へと移動し、符号３７で示すキャリッジ１０の側方領域に達する。
【００４１】
インクミストＡが側方領域３７に達した状態で、キャリッジ１０が図中矢印で示すようにホームポジションと反対側の移動端側に向けて移動を開始すると、側方領域３７に位置していたインクミストＡは、キャリッジ１０に引っ張られるように移動し、プリンタ本体３の内部に拡散して流れ込もうとする。しかし、キャリッジ１０と上部ケーシング３０との間の空間は、飛散防止壁３４によってホームポジション側の空間と記録実行領域３３側の空間とに区画されているため、上記インクミストＡは飛散防止壁３４に衝突し、飛散防止壁３４にインクミストＡが付着して前記拡散が防止される。
【００４２】
（２）移動端側（図５参照）
ホームポジションと反対側のキャリッジ１０の移動端側のフラッシング領域３２でフラッシング操作が実行されると、記録ヘッド１３の図示しないノズル開口から吐出されたインクは、用紙Ｐの搬送を案内する搬送案内部材３９に対して設けられているガイド筒４０を通って下方に設けられる回収槽４１内に打ち捨てられて回収される。この時、ノズル開口から吐出されたインクの一部は、インクミストＡとなって図中矢印で示すように外側方、そして上方へと移動し、符号４２で示す側方領域に達する。
【００４３】
インクミストＡが側方領域４２に達した状態でキャリッジ１０が図中矢印で示すようにホームポジション側に向けて移動を開始すると、側方領域４２に位置していたインクミストＡは、キャリッジ１０に引っ張られるように移動し、プリンタ本体３の内部に拡散して流れ込もうとする。しかし、キャリッジ１０と上部ケーシング３０との間の空間は、飛散防止壁３４によってホームポジションと反対側のキャリッジ１０の移動端側の空間と記録実行領域３３側の空間とに区画されているため、上記インクミストＡは飛散防止壁３４に衝突し、飛散防止壁３４にインクミストＡが付着して前記拡散が防止される。
【００４４】
［他の実施例］
本願発明に係るインクミストの飛散防止装置１及び該インクミストの飛散防止装置１を適用した記録装置１００等は、以上述べたような構成を基本とするものであるが、本願発明の要旨を逸脱しない範囲内の部分的構成の変更や省略等を行なうことも勿論可能である。例えばインクミストの飛散防止装置１は、上部ケーシング３０と一体のリブ形状の飛散防止壁３４によって構成される他、上部ケーシング３０に対して後付けするアタッチメントタイプの飛散防止壁３４とすることが可能である。また、インクミストの飛散防止装置１は、上部ケーシング３０に限らず、プリンタ本体３の他の部位、あるいはキャリッジ１０の上蓋等他の個所に設けることが可能である。
【００４５】
また、インクミストの飛散防止装置１は、ホームポジション側と移動端側の両方に設ける他、インクミストＡの飛散、付着が特に問題となるいずれか一方に１つのみ設けることも可能である。また、プリンタ本体３の既存の構成、例えば上部ケーシング３０の天板の下面において下方に突出するように設けられている周面リブ４４の一部を利用してインクミストの飛散防止装置１を構成することも可能である。この他、ホームポジション側のインクミストの飛散防止装置１をホームポジション側のフラッシング領域３１と記録実行領域３３の境界付近、移動端側のインクミストの飛散防止装置１を移動端側のフラッシング領域３２内に設置することも可能である。
【図面の簡単な説明】
【００４６】
【図１】インクジェットプリンタの外観を示す斜視図。
【図２】インクジェットプリンタの内部構造を示す側断面図。
【図３】インクミストの飛散防止装置周辺を拡大して示す側断面図。
【図４】ホームポジション側でのフラッシング操作時の状態を示すインクジェットプリンタの一部破断正面図。
【図５】移動端側でのフラッシング操作時の状態を示すインクジェットプリンタの一部破断正面図。
【図６】従来のインクジェットプリンタの問題点を示す側断面図。
【符号の説明】
【００４７】
１  インクミストの飛散防止装置、２  自動給送装置、
３  プリンタ本体（記録装置本体）、４  上面カバー、５  給送用トレイ、
６  操作ボタン、７  ディスクトレイカバー、９  給送用トレイカバー、
１０  キャリッジ、１２  キャリッジガイド軸、１３  記録ヘッド、１４  給送用ローラ
、１５Ａ  固定エッジガイド、１５Ｂ  可動エッジガイド、１６  ホッパ、
１７  回転軸（給送用ローラの）、１８  ローラホルダ（搬送用従動ローラ用の）、
１８ｃ  補助押えローラ、１９  搬送用ローラ、１９ａ  搬送用駆動ローラ、
１９ｂ  搬送用従動ローラ、２０  排出用ローラ、２０ａ  排出用駆動ローラ、
２０ｂ  排出用従動ローラ、２２  排出用補助ローラ、２２ａ  排出用補助駆動ローラ、２２ｂ  排出用補助従動ローラ、２６  記録ポジション、２８  プラテン、
３０  上部ケーシング、３１  （ホームポジション側の）フラッシング領域、
３２  （移動端側の）フラッシング領域、３３  記録実行領域、３４  飛散防止壁、
３５  隙間、３６  キャッピング手段、３７  側方領域（ホームポジション側の）、
３８  下部ケーシング、３９  搬送案内部材、４０  ガイド筒、４１  回収槽、
４２  側方領域（移動端側の）、４４  周面リブ、５０  排出用スタッカ、５１  載置面１００  インクジェットプリンタ（記録装置）、Ｐ  用紙（被記録材）、Ｘ  主走査方向
Ｙ  副走査方向、ＰＧ  プラテンギャップ、Ａ  インクミスト
【図１】
2007038469.tif 000003
【図２】
2007038469.tif 000004
【図３】
2007038469.tif 000005
【図４】
2007038469.tif 000006
【図５】
2007038469.tif 000007
【図６】
2007038469.tif 000008